(57)【要約】端末がＳＲＳを送信する方法は、この端末が複数のシンボル上におけるＳＲＳ送信に関してアンテナ切替えを行うように設定された場合、基地局から、複数のシンボルのうちＳＲＳが送信されるシンボルを指示する第１情報を基地局から受信する段階と、指示されたシンボルでＳＲＳを送信する段階と、を有し、この場合、ＳＲＳは、指示されたシンボルの各々に対応するアンテナポートで送信され、指示されたシンボルの各々に対応するアンテナポートは、互いに異なるアンテナポートである。【選択図】図１８
2020528690.tif 000002
【特許請求の範囲】
【請求項１】
端末がサウンディングリファレンス信号（Sounding Reference Symbol；ＳＲＳ）を送信する方法であって、
前記端末が複数のシンボル上におけるＳＲＳ送信に関してアンテナ切替えを行うように設定された場合、基地局から、前記複数のシンボルのうち前記ＳＲＳが送信されるシンボルを指示する第１情報を受信する段階と、
前記指示されたシンボルで前記ＳＲＳを送信する段階と、を有し、
前記ＳＲＳは、前記指示されたシンボルの各々に対応するアンテナポートで送信され、
前記指示されたシンボルの各々に対応するアンテナポートは、互いに異なるアンテナポートである、送信方法。
【請求項２】
さらに、前記基地局から、前記指示されたシンボル間に空（empty）シンボルを設定するか否かを指示する第２情報を受信する段階を有する、請求項１に記載のＳＲＳ送信方法。
【請求項３】
さらに、前記基地局から、前記指示されたシンボルの各々に対応するアンテナポートを指示するアンテナポートインデックスを有する第３情報を受信する段階を有する、請求項１に記載のＳＲＳ送信方法。
【請求項４】
前記指示されたシンボル間に位置するシンボルは、信号が送信されない空シンボルに設定される、請求項１に記載のＳＲＳ送信方法。
【請求項５】
前記ＳＲＳ送信に関するアンテナ切替え性能に関する情報を前記基地局に送信する段階を有する、請求項１に記載のＳＲＳ送信方法。
【請求項６】
さらに、前記ＳＲＳ送信に関するアンテナ切替え性能に関する情報を要求するメッセージを前記基地局から受信する段階を有し、
前記ＳＲＳ送信に関するアンテナ切替え性能に関する情報は、前記メッセージに対する応答として送信される、請求項５に記載のＳＲＳ送信方法。
【請求項７】
前記ＳＲＳ送信に関するアンテナ切替え性能に関する情報は、前記端末の副搬送波間隔（subcarrier spacing）に関する情報または前記アンテナ切替えに関する移行時間区間に関する情報を有する、請求項５に記載のＳＲＳ送信方法。
【請求項８】
前記第１情報は、ビットタイプの情報に該当する、請求項１に記載のＳＲＳ送信方法。
【請求項９】
前記第２情報は、無線リソース制御（Radio Resource Control；ＲＲＣ）、メディアアクセス制御チャネル要素（Medium Access Control Channel Element；ＭＡＣ  ＣＥ）、下りリンク制御情報（Downlink Control Information；ＤＣＩ）のうちのいずれかにより受信される、請求項２に記載のＳＲＳ送信方法。
【請求項１０】
サウンディングリファレンス信号（Sounding Reference Symbol；ＳＲＳ）を送信する端末であって、
受信器と、
送信器と、
プロセッサと、を有し、
前記プロセッサは、
前記受信器が、前記端末が複数のシンボル上におけるＳＲＳ送信に関してアンテナ切替えを行うように設定された場合、基地局から、前記複数のシンボルのうち前記ＳＲＳが送信されるシンボルを指示する第１情報を受信するように制御し、
前記送信器が、前記指示されたシンボルで前記ＳＲＳを送信し、前記ＳＲＳを前記指示されたシンボルの各々に対応するアンテナポートで送信するように制御し、
前記指示されたシンボルの各々に対応するアンテナポートは、互いに異なるアンテナポートである、端末。
【請求項１１】
前記プロセッサは、前記受信器が、前記基地局から、前記指示されたシンボル間に空シンボルを設定するか否かを指示する第２情報を受信するように制御する、請求項１０に記載の端末。
【請求項１２】
前記プロセッサは、前記受信器が、前記基地局から、前記指示されたシンボルの各々に対応するアンテナポートを指示するアンテナポートインデックスを有する第３情報を受信するように制御する、請求項１０に記載の端末。
【請求項１３】
前記指示されたシンボル間に位置するシンボルは、信号が送信されない空シンボルに設定される、請求項１０に記載の端末。
【請求項１４】
前記プロセッサは、前記送信器が、前記ＳＲＳ送信に関するアンテナ切替え性能に関する情報を前記基地局に送信するように制御するように構成される、請求項１０に記載の端末。
【請求項１５】
前記ＳＲＳ送信に関するアンテナ切替え性能に関する情報は、前記端末の副搬送波間隔に関する情報または前記アンテナ切替えに関する移行時間区間に関する情報を有する、請求項１４に記載の端末。
【発明の詳細な説明】
【技術分野】
【０００１】
本発明は、無線通信に関し、より詳細には、ＳＲＳを送信する方法およびそのための端末に関する。
【背景技術】
【０００２】
新ＲＡＴ（New Radio Access Technology）システムが導入される場合、より多い通信機器がより大きい通信容量を要求することにより、既存のＲＡＴに比べて向上した無線広帯域（mobile broadband）通信に対する必要性が台頭しつつある。
【０００３】
また、複数の機器およびモノを接続（連結）していつでもどこでも様々なサービスを提供する大規模ＭＴＣ（massive Machine Type Communications）は、次世代通信において考慮すべき重要な論点（イッシュ）の１つである。のみならず、信頼度（reliability）およびレイテンシ（latency）にセンシティブ（敏感）なサービス／ＵＥを考慮した通信システムデザインが論議されている。このように、Ｎｅｗ  ＲＡＴでは、ｅＭＢＢ（Enhanced Mobile BroadBand Communication）、ｍＭＴＣ（massive MTC）、ＵＲＬＬＣ（Ultra-Reliable and Low Latency Communication）などを考慮したサービスを提供しようとする。
【発明の概要】
【発明が解決しようとする課題】
【０００４】
本発明が遂げようとする技術的課題は、端末がＳＲＳを送信する方法を提供することにある。
【０００５】
本発明が遂げようとする他の技術的課題は、ＳＲＳを送信するための端末を提供することにある。
【０００６】
本発明で遂げようとする技術的課題は、以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００７】
上記技術的課題を達成するための、端末がサウンディングリファレンス信号（Sounding Reference Symbol；ＳＲＳ）を送信する方法は、端末が複数のシンボル上におけるＳＲＳ送信に関してアンテナ切替え（スイッチング）を行うように設定された場合、基地局から、複数のシンボルのうちＳＲＳが送信されるシンボルを指示する第１情報を受信する段階と、指示されたシンボルでＳＲＳを送信する段階と、を有し、ＳＲＳは、指示されたシンボルの各々に対応するアンテナポートで送信され、指示されたシンボルの各々に対応するアンテナポートは、互いに異なるアンテナポートである。指示されたシンボル間に位置するシンボルは、信号が送信されない空（empty）シンボルに設定される。
【０００８】
さらに、この方法は、基地局から、上記指示されたシンボル間に空シンボルを設定するか否かを指示する第２情報を受信する段階を有する。さらに、この方法は、基地局から、上記指示されたシンボルの各々に対応するアンテナポートを指示するアンテナポートインデックスを有する第３情報を受信する段階を有する。
【０００９】
さらに、この方法は、ＳＲＳ送信に関するアンテナ切替え性能に関する情報を基地局に送信する段階を有する。
【００１０】
さらに、この方法は、ＳＲＳ送信に関するアンテナ切替え性能に関する情報を要求するメッセージを基地局から受信する段階を有し、ＳＲＳ送信に関するアンテナ切替え性能に関する情報は、メッセージに対する応答として送信される。
【００１１】
ＳＲＳ送信に関するアンテナ切替え性能に関する情報は、端末の副搬送波間隔（subcarrier spacing）に関する情報またはアンテナ切替えに関する移行（転移）時間区間（transition time period）に関する情報を有する。第１情報は、ビットタイプの情報に該当する。第２情報は、無線リソース制御（Radio Resource Control；ＲＲＣ）、メディアアクセス制御チャネル要素（Medium Access Control Channel Element；ＭＡＣ  ＣＥ）、下りリンク制御情報（Downlink Control Information；ＤＣＩ）のうちのいずれかにより受信される。
【００１２】
上記他の技術的課題を達成する、サウンディングリファレンス信号（Sounding Reference Symbol；ＳＲＳ）を送信する端末は、受信器と、送信器と、プロセッサと、を有し、このプロセッサは、受信器が、端末が複数のシンボル上におけるＳＲＳ送信に関してアンテナ切替えを行うように設定された場合、基地局から、複数のシンボルのうちＳＲＳが送信されるシンボルを指示する第１情報を受信するように制御し、送信器が、指示されたシンボルでＳＲＳを送信し、ＳＲＳを上記指示されたシンボルの各々に対応するアンテナポートで送信するように制御し、上記指示されたシンボルの各々に対応するアンテナポートは、互いに異なるアンテナポートである。
【００１３】
プロセッサは、受信器が、基地局から、上記指示されたシンボル間に空シンボルを設定するか否かを指示する第２情報を受信するように制御する。プロセッサは、受信器が、基地局から、上記指示されたシンボルの各々に対応するアンテナポートを指示するアンテナポートインデックスを有する第３情報を受信するように制御する。上記指示されたシンボル間に位置するシンボルは、信号が送信されない空シンボルに設定される。
【００１４】
プロセッサは、送信器が、ＳＲＳ送信に関するアンテナ切替え性能に関する情報を基地局に送信するように制御する。ＳＲＳ送信に関するアンテナ切替え性能に関する情報は、端末の副搬送波間隔に関する情報またはアンテナ切替えに関する移行時間区間に関する情報を有する。
【発明の効果】
【００１５】
本発明の一実施例によれば、アンテナ切替え動作による連続するシンボルにおけるＳＲＳ送信時に発生するミスを減らすことができる。
【００１６】
本発明で得られる効果は、以上に言及した効果に制限されず、言及しなかった他の効果は、下記の記載から本発明が属する当該技術分野における当業者に明確に理解されるであろう。
【図面の簡単な説明】
【００１７】
【図１】無線通信システム１００における基地局１０５および端末１１０の構成を示すブロック図である。
【図２ａ】ＴＸＲＵ  ｖｉｒｔｕａｌｉｚａｔｉｏｎ  ｍｏｄｅｌ  ｏｐｔｉｏｎ  １（sub-array model）を示す図である。
【図２ｂ】ＴＸＲＵ  ｖｉｒｔｕａｌｉｚａｔｉｏｎ  ｍｏｄｅｌ  ｏｐｔｉｏｎ  ２（full connection model）を示す図である。
【図３】ハイブリッドビームフォーミングに関するブロック図である。
【図４】ハイブリッドビームフォーミングにおいてＢＲＳシンボルにマッピングされたビームの例を示す図である。
【図５】異なるニューマロロジ（numerology）間のシンボル／サブシンボルアラインメント（整列）（alignment）を例示する図である。
【図６】ＬＴＥホッピングパターンを例示する図である（ｎｓ＝１−＞ｎｓ＝４）。
【図７】アンテナ切替えによる歪みを例示する図である。
【図８】アンテナ切替えによる性能劣化を例示する図である。
【図９】ＳＲＳ送信のためのアンテナ切替えのために、ＳＲＳシンボルインデックスを提供する例を示す図である。
【図１０】所定のＳＲＳポート順によるＳＲＳ送信のためのアンテナ切替えを例示する図である。
【図１１】ＳＲＳリソース設定およびＳＲＳ送信のためのアンテナ切替えによるＳＲＳポートマッピング規則を例示する図である。
【図１２】連続するＳＲＳスロット（一例として、ＳＲＳスロット１／ＳＲＳスロット２）にわたるアンテナ切替えを考えたＳＲＳシンボルおよびＳＲＳポートマッピングを例示する図である。
【図１３】ＳＲＳシンボル数およびニューマロロジ設定による所定のＳＲＳポートマッピング方式を例示する図である。
【図１４】ＳＲＳシンボルへの明示的な（explicit）ＳＲＳポートマッピングを例示する図である。
【図１５】ＳＲＳシンボルへの明示的なＳＲＳポートマッピングを例示する（ＳＲＳポートグループ送信）図である。
【図１６】ＳＲＳ送信リソース割り当て位置およびホッピングパターンによるアンテナ選択の例（Ｋ＝４）を示す図である。
【図１７】固定したＳＲＳ送信周波数リソース位置によるアンテナ選択を例示する（Ｋ＝４）図である。
【図１８】ＳＲＳ送信のためのアンテナ切替え性能報告に対するプロシージャを例示する図である。
【発明を実施するための形態】
【００１８】
本発明に関する理解を助けるために詳細な説明の一部として含まれる添付の図面は、本発明に関する実施例を提供し、詳細な説明と共に本発明の技術的思想を説明する。
【００１９】
以下、本発明に係る好適な実施形態を、添付の図面を参照して詳しく説明する。添付の図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかしながら、当業者にとっては、このような具体的な細部事項なしでも本発明を実施できることは明らかである。例えば、以下の詳細な説明では、移動通信システムが３ＧＰＰ  ＬＴＥ、ＬＴＥ−Ａシステム、５Ｇシステムである場合を仮定して具体的に説明するが、３ＧＰＰ  ＬＴＥ、ＬＴＥ−Ａ特有の事項以外は、他の任意の移動通信システムにも適用可能である。
【００２０】
場合によっては、本発明の概念が曖昧になることを避けるために、公知の構造および装置を省略したり、各構造および装置の中核（核心）機能を中心とするブロック図の形式で示す。また、本明細書全体にわたって同一の構成要素については、同一の図面符号を付して説明する。
【００２１】
さらに、以下の説明において、端末は、ＵＥ（User Equipment）、ＭＳ（Mobile Station）、ＡＭＳ（Advanced Mobile Station）などの移動または固定型のユーザ端機器を総称すると仮定する。また、基地局は、Ｎｏｄｅ  Ｂ、ｅＮｏｄｅ  Ｂ、Ｂａｓｅ  Ｓｔａｔｉｏｎ、ＡＰ（Access Point）などの端末と通信するネットワーク端の任意のノードを総称すると仮定する。
【００２２】
移動通信システムにおいて、端末またはユーザ機器（User Equipment）は、基地局から下りリンクにより情報を受信することができ、端末は、上りリンクにより情報を送信することができる。端末が送信または受信する情報としては、データおよび様々な制御情報があり、端末が送信または受信する情報の種類や用途によって様々な物理チャネルが存在する。
【００２３】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線接続システム（wireless access systems）に用いることができる。ＣＤＭＡは、ＵＴＲＡ（Universal Terrestrial Radio Access）やＣＤＭＡ２０００などの無線技術（radio technology）によって具現できる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現できる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Evolved UTRA）などの無線技術によって具現できる。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡを用いるＥ−ＵＭＴＳ（Evolved UMTS）の一部であり、下りリンクではＯＦＤＭＡを採用し、上りリンクではＳＣ−ＦＤＭＡを採用する。ＬＴＥ−Ａ（Advanced）は、３ＧＰＰ  ＬＴＥの進化したバージョンである。
【００２４】
以下の説明で使う特定の用語は、本発明の理解を助けるために提供するものであり、かかる特定の用語の使用は、本発明の技術的思想を逸脱しない範疇内で他の形態に変更可能である。
【００２５】
図１は、無線通信システム１００における基地局１０５および端末１１０の構成を示すブロック図である。
【００２６】
無線通信システム１００を簡略に示すために、１つの基地局１０５および１つの端末１１０（Ｄ２Ｄ端末を含む）を示したが、無線通信システム１００は、１つもしくは複数の基地局ならびに／または１つもしくは複数の端末を含むことができる。
【００２７】
図１を参照すると、基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５および受信データプロセッサ１９７を含む。また、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５および受信データプロセッサ１５０を含む。基地局１０５および端末１１０において送受信アンテナ１３０、１３５は各々１つずつ示されているが、基地局１０５および端末１１０は、複数の送受信アンテナを備える。よって、本発明による基地局１０５および端末１１０は、ＭＩＭＯ（Multiple Input Multiple Output）システムをサポート（支援）する。また、本発明による基地局１０５は、ＳＵ−ＭＩＭＯ（Single User-MIMO）ＭＵ−ＭＩＭＯ（Multi User-MIMO）方式をいずれもサポートすることができる。
【００２８】
下りリンク上で、送信データプロセッサ１１５は、トラフィックデータを受信し、受信したトラフィックデータをフォーマットしてコード化し、コード化されたトラフィックデータをインターリーブして変調し（またはシンボルマッピングし）、変調シンボル（「データシンボル」）を提供する。シンボル変調器１２０は、このデータシンボルおよびパイロットシンボルを受信および処理してシンボルのストリームを提供する。
【００２９】
シンボル変調器１２０は、データおよびパイロットシンボルを多重化し、これを送信器１２５に送信する。ここで、それぞれの送信シンボルは、データシンボル、パイロットシンボルまたはゼロの信号値である。それぞれのシンボル周期で、パイロットシンボルが連続して送信されることもできる。パイロットシンボルは、周波数分割多重（ＦＤＭ）、直交周波数分割多重（ＯＦＤＭ）、時分割多重（ＴＤＭ）またはコード分割多重（ＣＤＭ）シンボルである。
【００３０】
送信器１２５は、シンボルのストリームを受信し、それを１つまたは複数のアナログ信号に変換し、さらに、このアナログ信号をさらに調節して（例えば、増幅、フィルタリングおよび周波数アップコンバート（upconverting）して）、無線チャネルを介した送信に適した下りリンク信号を発生させる（generates）。すると、送信アンテナ１３０は、発生した下りリンク信号を端末に送信する。
【００３１】
端末１１０の構成において、受信アンテナ１３５は、基地局からの下りリンク信号を受信し、受信した信号を受信器１４０に提供する。受信器１４０は、受信された信号を調整し（例えば、フィルタリング、増幅、および周波数ダウンコンバート（downconverting））、調整した信号をデジタル化してサンプルを獲得する。シンボル復調器１４５は、受信したパイロットシンボルを復調して、チャネル推定のためにそれをプロセッサ１５５に提供する。
【００３２】
また、シンボル復調器１４５は、プロセッサ１５５から下りリンクに対する周波数応答推定値を受信し、受信しデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０は、データシンボル推定値を復調（即ち、シンボルデマッピング（demapping））し、デインターリーブ（deinterleaving）し、デコードして、送信されたトラフィックデータを復元（リカバリ）する（reconstructs）。
【００３３】
シンボル復調器１４５および受信データプロセッサ１５０による処理は、それぞれ、基地局１０５におけるシンボル変調器１２０および送信データプロセッサ１１５による処理に対して相補的である。
【００３４】
端末１１０では、上りリンク上で、送信データプロセッサ１６５がトラフィックデータを処理してデータシンボルを提供する。シンボル変調器１７０は、データシンボルを受信して多重化し、変調を行い、シンボルのストリームを送信器１７５に提供する。送信器１７５は、シンボルのストリームを受信および処理して上りリンク信号を発生させる。そして、送信アンテナ１３５は、発生した上りリンク信号を基地局１０５に送信する。端末および基地局における送信器および受信器は、１つのＲＦ（Radio Frequency）ユニットで構成される。
【００３５】
基地局１０５において、端末１１０からの上りリンク信号が受信アンテナ１３０を介して受信され、受信器１９０は、受信した上りリンク信号を処理してサンプルを得る。ついで、シンボル復調器１９５は、このサンプルを処理して、上りリンクに対して受信したパイロットシンボルおよびデータシンボル推定値を提供する。受信データプロセッサ１９７は、データシンボル推定値を処理して、端末１１０から送信されたトラフィックデータを復元する。
【００３６】
端末１１０および基地局１０５のそれぞれのプロセッサ１５５、１８０は、それぞれ、端末１１０および基地局１０５における動作を指示（例えば、制御、調整、管理など）する。それぞれのプロセッサ１５５、１８０は、プログラムコードおよびデータを記憶（保存）するメモリユニット１６０、１８５に接続されることができる。メモリ１６０、１８５は、プロセッサ１８０に接続され、オペレーティングシステム、アプリケーション、および一般ファイル（general files）を記憶する。
【００３７】
プロセッサ１５５、１８０は、コントローラ（controller）、マイクロコントローラ（microcontroller）、マイクロプロセッサ（microprocessor）、マイクロコンピュータ（microcomputer）などとも呼ばれる。一方、プロセッサ１５５、１８０は、ハードウェア（hardware）もしくはファームウエア（firmware）、ソフトウェア、またはこれらの組み合わせによって実現されることができる。ハードウェアを用いて本発明の実施例を実現する場合には、本発明を実行するように構成されたＡＳＩＣｓ（Application Specific Integrated Circuits）またはＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）などがプロセッサ１５５、１８０に備えられてもよい。
【００３８】
一方、ファームウエアまたはソフトウェアを用いて本発明の実施例を具現する場合には、本発明の機能または動作を行うモジュール、過程または関数などを含むようにファームウエアまたはソフトウェアが構成されることができ、本発明を実行するように構成されたファームウエアまたはソフトウェアは、プロセッサ１５５、１８０内に備えられるか、メモリ１６０、１８５に記憶されてプロセッサ１５５、１８０によって駆動される。
【００３９】
端末および基地局の無線通信システム（ネットワーク）との間の無線インターフェースプロトコルのレイヤは、通信システムで公知のＯＳＩ（Open System Interconnection）モデルの下位３個のレイヤに基づいて、第１のレイヤＬ１、第２のレイヤＬ２および第３のレイヤＬ３に分類される。物理レイヤは、上記第１のレイヤに属し、物理チャネルを介して情報送信サービスを提供する。ＲＲＣ（Radio Resource Control）レイヤは、第３のレイヤに属し、ＵＥとネットワークとの間の制御無線リソースを提供する。端末、基地局は、無線通信ネットワークおよびＲＲＣレイヤを介してＲＲＣメッセージを交換することができる。
【００４０】
本明細書において、端末のプロセッサ１５５と基地局のプロセッサ１８０とは、それぞれ、端末１１０および基地局１０５が信号を受信もしくは送信する機能ならびに記憶の機能などを除いて、信号およびデータを処理する動作を行うが、説明の便宜のために、以下では、特にプロセッサ１５５，１８０について言及しない。特にプロセッサ１５５，１８０について言及しなくても、信号を受信または送信する機能ではないデータ処理などの一連の動作を行うといえる。
【００４１】
まず、３ＧＰＰ  ＬＴＥ／ＬＴＥ−ＡシステムにおけるＳＲＳ送信に関する内容を以下の表１に説明する。
【００４２】
＜表１＞
【表１】
2020528690.tif 000003
【００４３】
以下の表２は、３ＧＰＰ  ＬＴＥ／ＬＴＥ−ＡシステムにおいてＤＣＩフォーマット４におけるトリガタイプ１のためのＳＲＳ  Ｒｅｑｕｅｓｔ  Ｖａｌｕｅを示す。
【００４４】
＜表２＞
【表２】
2020528690.tif 000004
【００４５】
以下の表３は、３ＧＰＰ  ＬＴＥ／ＬＴＥ−ＡシステムにおけるＳＲＳ送信に関する追加内容を説明する。
【００４６】
＜表３＞
【表３−１】
2020528690.tif 000005
【００４７】
【表３−２】
2020528690.tif 000006
【００４８】
【表３−３】
2020528690.tif 000007
【００４９】
【表３−４】
2020528690.tif 000008
【００５０】
以下の表４は、ＦＤＤにおいてトリガタイプ０のためのサブフレームオフセット設定（Ｔoffset）およびＵＥ−ｓｐｅｃｉｆｉｃ  ＳＲＳ  ｐｅｒｉｏｄｉｃｉｔｙ（ＴSRS）を示す。
【００５１】
＜表４＞
【表４】
2020528690.tif 000009
【００５２】
以下の表５は、ＴＤＤにおいてトリガタイプ０のためのサブフレームオフセット設定（Ｔoffset）およびＵＥ−ｓｐｅｃｉｆｉｃ  ＳＲＳ  ｐｅｒｉｏｄｉｃｉｔｙ（ＴSRS）を示す。
【００５３】
＜表５＞
【表５】
2020528690.tif 000010
【００５４】
＜表６＞
【表６】
2020528690.tif 000011
【００５５】
表７は、ＴＤＤのためのｋSRSを示す。
【００５６】
＜表７＞
【表７】
2020528690.tif 000012
【００５７】
以下の表８は、ＦＤＤにおいてトリガタイプ１のためのサブフレームオフセット設定（Ｔoffset,1）およびＵＥ−ｓｐｅｃｉｆｉｃ  ＳＲＳ  ｐｅｒｉｏｄｉｃｉｔｙ（ＴSRS,1）を示す。
【００５８】
＜表８＞
【表８】
2020528690.tif 000013
【００５９】
以下の表９は、ＴＤＤにおけるトリガタイプ１のためのサブフレームオフセット設定（Ｔoffset,1）およびＵＥ−ｓｐｅｃｉｆｉｃ  ＳＲＳ  ｐｅｒｉｏｄｉｃｉｔｙ（ＴSRS,1）を示す。
【００６０】
＜表９＞
【表９】
2020528690.tif 000014
【００６１】
アナログビームフォーミング（Analog Beamforming）
【００６２】
Ｍｉｌｌｉｍｅｔｅｒ  Ｗａｖｅ（ｍｍＷ）では、波長が短くなるため、同一面積に多数のアンテナ要素の設置が可能である。即ち、３０ＧＨｚ帯域において、波長は１ｃｍであって、４×（ｂｙ）４ｃｍのパネルに０．５ｌａｍｂｄａ（波長）間隔で２−ｄｉｍｅｎｓｉｏｎ（次元）配列である全６４（８×８）のアンテナ要素を設けることができる。これにより、ｍｍＷでは、多数のアンテナ要素を使用してビームフォーミング（ＢＦ）利得を高めてカバレッジを増加させたりスループット（throughput）を増加させたりすることができる。
【００６３】
このとき、アンテナ要素別に送信電力（パワー）および位相の調節ができるように、ＴＸＲＵ（Transceiver Unit）を備えると、周波数リソース別に独立したビームフォーミングが可能である。しかしながら、１００余個の全てのアンテナ要素にＴＸＲＵを設けることは、費用面で実効性に乏しいという問題がある。したがって、１つのＴＸＲＵに多数のアンテナ要素をマッピングし、アナログ位相シフタ（analog phase shifter）でビーム方向を調節する方式が考えられる。かかるアナログビームフォーミング方式では、全帯域において１つのビーム方向のみが形成されることができるので、周波数選択的なビームフォーミングができないというデメリットがある。
【００６４】
デジタルビームフォーミング（Digital BF）とアナログビームフォーミング（Analog BF）との中間形態として、Ｑ個のアンテナ要素より少数のＢ個のＴＸＲＵを有するハイブリッドビームフォーミング（Hybrid BF）が考えられる。この場合、Ｂ個のＴＸＲＵとＱ個のアンテナ要素との接続方式によって差はあるが、同時に送信可能なビームの方向はＢ個以下に制限される。
【００６５】
図２ａは、ＴＸＲＵ  ｖｉｒｔｕａｌｉｚａｔｉｏｎ  ｍｏｄｅｌ  ｏｐｔｉｏｎ  １（sub-array model）を示す図であり、図２ｂは、ＴＸＲＵ  ｖｉｒｔｕａｌｉｚａｔｉｏｎ  ｍｏｄｅｌ  ｏｐｔｉｏｎ  ２（full connection model）を示す図である。
【００６６】
図２ａおよび図２ｂは、ＴＸＲＵとアンテナ要素との接続方式の代表的な一例を示す。ここで、ＴＸＲＵ  ｖｉｒｔｕａｌｉｚａｔｉｏｎモデルは、ＴＸＲＵの出力信号とアンテナ要素の出力信号との関係を示す。図２ａは、ＴＸＲＵがサブアレイ（sub-array）に接続された方式を示す。この場合、アンテナ要素は、１つのＴＸＲＵにのみ接続される。一方、図２ｂは、ＴＸＲＵが全てのアンテナ要素に接続された方式を示す。この場合、アンテナ要素は、全てのＴＸＲＵに接続される。図２ａおよび図２ｂにおいて、Ｗは、アナログ位相シフタにより乗じられる位相ベクトルを示す。即ち、Ｗによって、アナログビームフォーミングの方向が決定される。ここで、ＣＳＩ−ＲＳアンテナポートとＴＸＲＵとのマッピングは、一対一（１−ｔｏ−１）または一対多（１−ｔｏ−ｍａｎｙ）である。
【００６７】
ハイブリッドビームフォーミング（Hybrid Beamforming）
【００６８】
図３は、ハイブリッドビームフォーミングのためのブロック図を示す図である。
【００６９】
Ｎｅｗ  ＲＡＴシステムでは、複数のアンテナが使用される場合、デジタルビームフォーミングとアナログビームフォーミングとを組み合わせたハイブリッドビームフォーミング方式を適用することができる。このとき、アナログビームフォーミング（または、ＲＦビームフォーミング）は、ＲＦ端においてプリコーディング（Precoding）（または、コンバイニング（Combining））を実行する動作を意味する。このようなハイブリッドビームフォーミング方式において、ベースバンド（Baseband）端およびＲＦ端は、それぞれ、プリコーディング（Precoding）（または、コンバイニング（Combining））を行うことにより、ＲＦ  ｃｈａｉｎ数ならびにＤ／Ａ（もしくは、Ａ／Ｄ）ｃｏｎｖｅｒｔｅｒ数を減らしながらも、デジタルビームフォーミングに近づく性能が得られるというメリットがある。説明の便宜のために、図４に示したように、上述したハイブリッドビームフォーミング構造は、Ｎ個のＴｒａｎｓｃｅｉｖｅｒ  ｕｎｉｔ（ＴＸＲＵ）とＭ個の物理アンテナとで表現される。このとき、送信側から送信するＬ個のデータ層に対するデジタルビームフォーミングは、Ｎ  ×  Ｌ行列で表現でき、この後、変換されたＮ個のデジタル信号は、ＴＸＲＵを経てアナログ信号に変換された後、Ｍ  ×  Ｎ行列で表現されるアナログビームフォーミングが適用される。
【００７０】
図３は、上述したＴＸＲＵおよび物理アンテナの観点におけるハイブリッドビームフォーミングの構造を簡単に示す図である。このとき、図３においてデジタルビーム数はＬ個であり、アナログビーム数はＮ個である。さらに、Ｎｅｗ  ＲＡＴシステムでは、基地局がアナログビームフォーミングをシンボル単位で変更できるように設計して、特定の地域に位置する端末にさらに効率的なビームフォーミングをサポートする方法を考慮している。また、図３のように、特定のＮ個のＴＸＲＵおよびＭ個のＲＦアンテナを１つのアンテナパネルとして定義するとき、Ｎｅｗ  ＲＡＴシステムでは、互いに独立したハイブリッドビームフォーミングが適用可能な複数のアンテナパネルを導入する方式まで考慮している。
【００７１】
基地局が複数のアナログビームを活用する場合、各々の端末において信号受信に有利なアナログビームが異なることができるので、基地局は、少なくとも同期信号（Synchronization signal）、システム情報（System information）、ページング（Paging）などに対しては、特定のサブフレーム（ＳＦ）において基地局が適用する複数のアナログビームをシンボルごとに変更することにより全ての端末が受信機会を得るようにするビームスイーピング動作を考慮してもよい。
【００７２】
図４は、ハイブリッドビームフォーミングにおいて、ＢＲＳシンボルにマッピングされたビームの例を示す図である。
【００７３】
図４は、下りリンク（ＤＬ）送信過程において、同期信号およびシステム情報について上述したビームスイーピング動作を図式化している。図４において、Ｎｅｗ  ＲＡＴシステムのシステム情報がブロードキャスト方式で送信される物理リソース（または物理チャネル）を、ｘＰＢＣＨ（Physical Broadcast CHannel）と称する。このとき、１つのシンボル内で互いに異なるアンテナパネルに属する複数のアナログビームは、同時に送信可能であり、アナログビームごとのチャネルを測定するために、図４に示したように、（特定のアンテナパネルに対応する）単一のアナログビームが適用されて送信される参照信号（Reference Signal；ＲＳ）であるビーム参照信号（Beam RS；ＢＲＳ）の導入が論議されている。ＢＲＳは、複数のアンテナポートに対して定義され、ＢＲＳの各々のアンテナポートは、単一のアナログビームに対応する。図５では、ビームを測定するためのＲＳ（Reference Signal）をＢＲＳと称したが、他の名称で称してもよい。このとき、ＢＲＳとは異なり、同期信号またはｘＰＢＣＨは、任意の端末がよく受信するようにアナログビームのグループ内の全てのアナログビームが適用されて送信される。
【００７４】
図５は、異なるニューマロロジ（numerology）間のシンボル／サブシンボルアラインメント（alignment）を例示する図である。
【００７５】
Ｎｅｗ  ＲＡＴ（ＮＲ）Ｎｕｍｅｒｏｌｏｇｙの特徴
【００７６】
ＮＲでは、Ｓｃａｌａｂｌｅ  Ｎｕｍｅｒｏｌｏｇｙをサポートする方式を考慮している。即ち、ＮＲの副搬送波間隔（subcarrier spacing）は、（２ｎ×１５）ｋＨｚ、ｎは整数であり、ｎｅｓｔｅｄ観点でｓｕｂｓｅｔまたはｓｕｐｅｒｓｅｔ（少なくとも１５、３０、６０、１２０、２４０および４８０ｋＨｚ）が主な副搬送波間隔として考えられる。これにより、同一のＣＰオーバーヘッド比率を有するように調節することにより、異なるニューマロロジ間のシンボルまたはサブシンボルアラインメントをサポートするように設定される。
【００７７】
また、各々のサービス（ｅＭＭＢ、ＵＲＬＬＣ、ｍＭＴＣ）およびシナリオ（ｈｉｇｈ  ｓｐｅｅｄなど）によって時間／周波数粒度（細分性）（granularity）が動的に割り当てられる構造でニューマロロジが決定される。
【００７８】
Ｎｅｗ  ＲＡＴにおける主要な合意事項は、以下の通りである。
【００７９】
−４００ＭＨｚが１つのＮＲ  ｃａｒｒｉｅｒ当たりに割り当てられる最大帯域幅である。
【００８０】
−１００ＭＨｚまではＲｅｌ  １５標準文書を参照する。
【００８１】
−スケーラブルニューマロロジ（Scalable numerology）を採択する。即ち、１５ＫＨｚ＊（２n）になる（１５〜４８０ｋＨｚ）。
【００８２】
−１つのニューマロロジは、１つのＳＣＳおよびＣＰを有し、各ＳＣＳおよびＣＰは、ＲＲＣ設定される。
【００８３】
−サブフレームの長さは、１ｍｓに固定される（ＴＴＩは、ＳＣＳによってまたは用途（例えば、ＵＲＬＬＣ）によって、スロット（１４（個の）シンボル）またはミニスロット（ＵＲＬＬＣ）またはマルチスロット単位になり、ＴＴＩもＲＲＣシグナリングされる（１（個の）ＴＴＩの持続時間は、物理層における送信方法を決定する（one TTI duration determines how transmission is made on physical layer））。
【００８４】
−即ち、全てのニューマロロジは、１ｍｓごとにアラインメントされる。
【００８５】
−各ＲＢ当たりの副搬送波の数は、１２個にする。
【００８６】
−スロット内のシンボル数：７または１４（ＳＣＳが６０ｋＨｚより小さいとき）、１４（ＳＣＳが６０ｋＨｚより大きいとき）
【００８７】
以下の表１０および表１１は、ＬＴＥシステムにおけるｃｅｌｌ  ＩＤおよびｒｏｏｔ値を用いたシーケンス生成方法を示す。
【００８８】
＜表１０＞
【表１０】
2020528690.tif 000015
【００８９】
＜表１１＞
【表１１】
2020528690.tif 000016
【００９０】
ＬＴＥシステムにおけるＳＲＳホッピングの特徴は、以下の通りである。
【００９１】
−周期的ＳＲＳトリガ（triggering type 0）の場合に限ってＳＲＳホッピング動作を行う。
【００９２】
−ＳＲＳリソースの割り当ては、ｐｒｅｄｅｆｉｎｅｄ  ｈｏｐｐｉｎｇ  ｐａｔｔｅｒｎで提供される。
【００９３】
−ホッピングパターン（Hopping pattern）は、端末固有（特定）（UE specific）にＲＲＣシグナリングにより設定できる（ただし、オーバーラップ（overlapping）は許容されない）。
【００９４】
−セル／端末固有にＳＲＳが送信されるサブフレームごとにホッピングパターンを用いて、ＳＲＳが周波数ホッピングされて送信される。
【００９５】
−ＳＲＳ周波数領域（ドメイン）の開始位置およびホッピングの公式は、以下の数式１より解釈される。
【００９６】
＜数式１＞
【数１】
2020528690.tif 000017
【００９７】
ここで、ｎSRSは、時間領域においてホッピング進行間隔（hopping interval）を示し、Ｎbは、ｔｒｅｅ  ｌｅｖｅｌ  ｂに割り当てられたｂｒａｎｃｈｅｓ数、ｂは、ｄｅｄｉｃａｔｅｄ  ＲＲＣにおいてＢSRS設定により決定される。
【００９８】
図６は、ＬＴＥホッピングパターンを例示する図である（ｎs＝１−−＞ｎs＝４）。
【００９９】
ＬＴＥホッピングパターン設定の例を説明する。
【０１００】
セル固有のＲＲＣシグナリングによりＬＴＥホッピングパターンパラメータを設定することができるが、一例として
2020528690.tif 000018
のように設定される。
【０１０１】
次に、端末固有のＲＲＣシグナリングによりＬＴＥホッピングパターンパラメータを設定することができるが、一例として
2020528690.tif 000019
のように設定される。
【０１０２】
ＬＴＥシステムにおけるＳＲＳアンテナ選択
【０１０３】
ＬＴＥシステムでは、２Ｔｘの場合、各ＳＲＳ送信スロットに応じてアンテナを選択する。
【０１０４】
＜表１２＞
【表１２】
2020528690.tif 000020
【０１０５】
端末に２つ以上のサービングセルが設定されると、端末は、同時に互いに異なるアンテナポート上でＳＲＳを送信できるとは期待しない。周波数ホッピング動作時には、ＳＲＳリソース割り当て位置によってアンテナ選択が決定される（例えば、Ｋ＝偶数）。以下の表１３は、その一例である。
【０１０６】
＜表１３＞
【表１３】
2020528690.tif 000021
【０１０７】
以下の表１４は、ＳＲＳ周波数ホッピングによるアンテナ選択の例（Ｋ＝４）を示す表である。
【０１０８】
＜表１４＞
【表１４】
2020528690.tif 000022
【０１０９】
上りリンクＳＲＳポートの場合、サウンディング（sounding）が必要なとき、ＵＥ  ＲＦ  性能によってはアンテナ切替え動作が必要である。このとき、特定のニューマロロジによっては、アンテナ切替えによって電力レベルが変わる移行時間がＣＰ内に入ると問題ないが、ＣＰから外れる場合には、連続するシンボルの間のＳＲＳ送信時にサウンディングに対するミスが発生する可能性が高くなる。したがって、本発明では、かかる問題を解決するために、シンボル、ミニスロットまたはスロットの間のＳＲＳ送信方法を提案する。
【０１１０】
アンテナ切替えに対する移行時間（transition time）の影響
【０１１１】
図７は、アンテナ切替えによる歪みを例示する図である。
【０１１２】
図７の（ａ）はサイズ歪みを示し、図７の（ｂ）は位相歪みを示す。
【０１１３】
ＷＡＲＰ（Wireless open-Access Research Platform）  ＦＰＧＡ  ｂｏａｒｄ（by Rice university and Mango communications）を用いるＲＦ切替え時の信号歪み現象についての研究がある。ターゲットバンドは、２．４ＧＨｚであり、移行時間（transition time）は、ｐｏｒｔ  Ａからｐｏｒｔ  Ｂへの変更時、ｐｏｒｔ  Ａにおける９０％サイズ（magnitude）からｐｏｒｔ  Ｂにおける９０％サイズまで到達した時間で示した。かかる移行時間は、１．２ｕｓ程度であり、信号の歪みにより性能劣化が発生する。
【０１１４】
図８は、アンテナ切替えによる性能劣化を例示する図である。
【０１１５】
一般的には、かかるアンテナ切替えによる移行時間は、５ｕｓ以内に評価されており、ＬＴＥシステムにおいて１５ｋＨｚ  ＳＣＳの場合、ＣＰ長さは、以下の表１５を参照すると、４.６８７５ｕｓのＣＰ長さに決定される。ＳＲＳ送信リソースは、サブフレームの最後のシンボルに設定されるので、連続するシンボルとしてリソースが割り当てられない。ＬＴＥシステムの場合、甚だしくはシンボルの間でアンテナ切替えが発生しても、ＣＰ内でこの移行時間に入ると確認され、ＳＲＳ送信のためのアンテナ切替えに関する損傷（impairment）は考慮されない。
【０１１６】
ＮＲ（New RAT）システムにおいて、ＳＲＳ送信は、マルチシンボル（１つ、２つ、４つのシンボル）にわたって、あるいはマルチシンボル上で設定され、ニューマロロジも１５ｋＨｚの倍数で示される。このとき、１５ｋＨｚ以上のニューマロロジを有するシステムで連続するシンボルにわたったＳＲＳ送信が設定され、アンテナ切替えによってＳＲＳが送信されると、ＳＲＳシンボルに歪みが発生して、上りリンクビーム管理またはＵＬ／ＤＬチャネル状態情報（ＣＳＩ）の獲得にミスが発生することができる。したがって、かかる端末の場合、ＲＦ切替え性能によるＳＲＳ送信が要求される。
【０１１７】
本発明では、このような端末のＲＦ性能報告およびそれによるＳＲＳ送信設定方法について説明する。本発明では、ＮＲは、１つの搬送波内でＳＲＳ送信のためのアンテナ切替えをサポートし、少なくとも２Ｔｘ切替え、４Ｔｘ切替えをサポートすると仮定する。本発明において、アンテナは、アンテナポート、ポートなどとも呼ばれる。
【０１１８】
提案１
【０１１９】
基地局は、ＳＲＳ送信のためのアンテナ切替えを行える端末に、複数のシンボルにわたってあるいは複数のシンボル上でＳＲＳを送信するように設定することができる。基地局は、ＳＲＳ切替え（即ち、ＳＲＳ送信のためのアンテナ切替え）を行う端末のために、ｎ番目のシンボルをＳＲＳ送信のためのシンボルと設定した場合、次のシンボルに該当するｎ＋１番目のシンボルまたは次のサブシンボルを空け、その後のシンボルに該当するｎ＋２番目のシンボルまたはその後のサブシンボル（ニューマロロジの変化（change）による参照シンボル（reference symbol）より小さいシンボルに該当）をＳＲＳ送信のためのシンボルとして設定または割り当てることができる。基本的には、基地局は、このような設定または割り当てを端末固有に行う。
【０１２０】
図９は、ＳＲＳ送信のためのアンテナ切替えのために、ＳＲＳシンボルインデックスを提供する例を示す図である。
【０１２１】
基地局は、複数のシンボルのうち、ＳＲＳが割り当てられるシンボルインデックスを端末に提供する。例えば、ｎ番目のシンボルから４つのＳＲＳシンボルが設定された場合、ＳＲＳ送信のためのアンテナ切替えが動作する端末の場合、図９（ａ）に示すように、ｎ、ｎ＋２（番目の）シンボルインデックスがＳＲＳ送信のためのシンボルであることを指示する情報を端末に送信することができる。一方、図９（ｂ）に示すように、基地局は、ｎ＋１、ｎ＋３（番目の）シンボルインデックスがＳＲＳ送信のためのシンボルであることを指示する情報を端末に送信することができる。
【０１２２】
基地局は、ＳＲＳ送信のためのアンテナ切替えによるシンボルを空ける方法を行うか否かを指示するフラグ（flag）を端末に提供することができる。
【０１２３】
また、基地局は、ＳＲＳが割り当てられるシンボルの指示をビットマップ形態で端末に送信する。端末は、該当ビットマップ形態に基づいて割り当てられたＳＲＳシンボルを区別することができる。例えば、基地局がビットマップ‘１０１０’を送信すると、端末は、４つのＳＲＳシンボルのうち、時間領域上で１番目、３番目のシンボルがＳＲＳ送信のためのシンボルに割り当てられたことを把握することができる。
【０１２４】
提案１−１
【０１２５】
上記提案１のより具体的な提案として、複数のシンボルにわたって送信するＳＲＳが設定されても、基地局は、ニューマロロジまたは端末のＲＦ切替え性能によって割り当てられたまたは指示されたＳＲＳシンボルの間に挟まれたシンボルを空けるか否かを決定することができる。また、基地局は、ＳＲＳシンボルの間に挟まれたシンボルにいかなるデータも含めず、空けるか否かに関する情報（information indicating whether the symbol between the SRS symbols is empty, that is, no data is loaded therein）を端末に提供することができる。ＳＲＳシンボルの間に挟まれたシンボルにいかなるデータも含めず、空けるか否かに関する情報は、基地局が、ＲＲＣ（radio Resource control）シグナリング（Ｌａｙｅｒ  ３シグナリング）、ＭＡＣ  ＣＥシグナリング（Ｌａｙｅｒ２シグナリング）、またはＤＣＩ（Downlink Control Information）シグナリング（Ｌａｙｅｒ１シグナリング）などにより端末に提供することができる。
【０１２６】
一例として、ＲＦアンテナ切替えによる移行時間が４ｕｓである端末が３０ｋＨｚの副搬送波間隔を有するニューマロロジである場合、基地局は、端末に割り当てられたＳＲＳシンボルの間に挟まれたシンボルを空ける設定フラグを有効（enable）にし、それを端末に指示することができる。他の例として、ＲＦアンテナ切替えによる移行時間が４ｕｓである端末が１５ｋＨｚの副搬送波間隔を有するニューマロロジに設定される場合、基地局は、端末に割り当てられたＳＲＳシンボルの間に挟まれたシンボルを空ける設定フラグを無効（disable）にし、それを端末に送信することができる。
【０１２７】
提案２
【０１２８】
基地局は、ＳＲＳ送信のためのアンテナ切替えを行う端末のために割り当てられたＳＲＳシンボルにマッピングされるポート（またはアンテナポート）に関する情報を提供する。以下、説明の便宜上、ＳＲＳ送信のためのアンテナポートまたはポートをＳＲＳポートと略称する。
【０１２９】
ＳＲＳポート値は暗示的に決定され、端末は、ＳＲＳポート値を暗示的な方法で得ることができる。例えば、ＳＲＳシンボルインデックスによって、マッピングされるポートが決定される。ＳＲＳが設定されるスロット／ミニスロットのインデックスなどによってポートが決定される。例えば、シンボルｎはＳＲＳポート１、シンボルｎ＋１はＳＲＳポート２と決定できる。
【０１３０】
図１０は、所定のＳＲＳポート順によるＳＲＳ送信のためのアンテナ切替えを例示する図である。
【０１３１】
ＲＲＣなどにより予め定められた順によってＳＲＳポートが各ＳＲＳシンボルにマッピングされる。例えば、１つのシンボルにマッピングされるポート数が１つであり、ＳＲＳポート数が２つ、４つのＳＲＳシンボルが設定される場合、ポートインデックスが以下の表１５のように構成されると、図１０のように示すことができる。
【０１３２】
図１０に示したように、ＳＲＳシンボルが４つに設定された場合、端末がＳＲＳ送信のためのアンテナ切替え動作を行う端末であれば、基地局は、４つのシンボルのうち、１番目のシンボル、３番目のシンボルのみにＳＲＳを割り当て、残りの２番目のシンボル、４番目のシンボルは、空ける必要がある。
【０１３３】
表１５は、所定のＳＲＳポート数によるＳＲＳ送信のためのアンテナ切替え時のＳＲＳポートマッピング順を例示する表である。
【０１３４】
＜表１５＞
【表１５】
2020528690.tif 000023
【０１３５】
基地局は、ＳＲＳシンボルにマッピングされるＳＲＳポート値を、明示的にＤＣＩ、ＲＲＣシグナリング、ＭＡＣ  ＣＥシグナリングなどにより送信する。ＳＲＳシンボルにマッピングされるＳＲＳマッピング規則が上位層で設定され、基地局は、ＳＲＳマッピング規則に関する情報を端末に上位層シグナリングにより送信することができる。また、基地局は、これらのＳＲＳマッピング規則のうち、いずれか１つを選択してＤＣＩにより端末に指示することができる。
【０１３６】
以下の表１６は、ＳＲＳ送信のためのアンテナ切替え時のＳＲＳポートマッピング順の設定とＳＲＳポート数によるマッピング順とを例示する表である。
【０１３７】
＜表１６＞
【表１６】
2020528690.tif 000024
【０１３８】
例えば、表１６において、ＳＲＳ送信のためのアンテナ切替えによるＳＲＳポートマッピング順序設定のインデックスが‘１’であり、ＳＲＳポート数が２に設定されると、ＳＲＳシンボルにマッピングされるＳＲＳポート番号は、図１０のように時間領域で順に２および１になる（この場合、ＳＲＳシンボルが４であるが、アンテナ切替え動作のために１番目、３番目のシンボルのみにＳＲＳが割り当てられる）。
【０１３９】
基地局は、ＳＲＳ送信のためのアンテナ切替え時にＳＲＳシンボル内のＳＲＳ送信リソースに関する情報を端末に提供し、このとき、各ＳＲＳ送信リソースにマッピングされるＳＲＳポートに関する情報も端末に提供する。ＳＲＳ送信リソースの設定時に割り当てられるＳＲＳリソースの間では、切替えによって共に割り当てられるポートがマッピングされることができる。例えば、ＳＲＳポート番号（またはＳＲＳポート値、ＳＲＳポートインデックスなどとも呼ばれる）が１，２，３，４である場合、１，３のポートが同時送信可能ポートであり、２，４が同時送信可能ポートであり、これらの２つのポートセット（｛１，３｝、｛２，４｝）の間のポート（例えば、ポート１、ポート２）では、アンテナ切替えによって端末がＳＲＳを同時送信することができない。ＳＲＳシンボルが２つのＳＲＳ送信リソースで構成される場合、各ＳＲＳ送信リソースにマッピングされるＳＲＳポート番号は、各々１もしくは３であるか、または１、３の両方である。このとき、１つのＳＲＳシンボル内の１つのＳＲＳ送信リソースにマッピングされるポートが１または３である場合、他の１つのＳＲＳリソースは２、または４のポートになることはできない。
【０１４０】
表１７は、ＳＲＳシンボル数が４である場合、アンテナ切替えによるＳＲＳポートマッピング順を示す図である。
【０１４１】
＜表１７＞
【表１７】
2020528690.tif 000025
【０１４２】
図１１は、ＳＲＳリソース設定およびＳＲＳ送信のためのアンテナ切替えによるＳＲＳポートマッピング規則を例示する図である。
【０１４３】
図１１の（ａ）および（ｂ）に記載された数は、ＳＲＳポート番号を意味する。
【０１４４】
一例として、１つのＳＲＳシンボル内のＳＲＳ送信リソース数が２であり、表１７のＳＲＳ送信のためのアンテナ切替えによるＳＲＳポートマッピング順序の設定が‘０’であり、ＳＲＳポート数が４であり、４つのＳＲＳシンボルが設定された場合、基地局は、図１１の（ａ）に示すように、２番目のシンボルおよび４番目のシンボルにＳＲＳを割り当てることができる。
【０１４５】
他の例として、１つのＳＲＳシンボル内のＳＲＳ送信リソース数が４であり、表１７のＳＲＳ送信のためのアンテナ切替えによるＳＲＳポートマッピング順序の設定が‘０’であり、ＳＲＳポート数が４であり、４つのＳＲＳシンボルが設定された場合、基地局は、図１１の（ｂ）に示すように、２番目のシンボルおよび４番目のシンボルにＳＲＳを割り当てることができる。
【０１４６】
例えば、ＳＲＳ送信のためのアンテナ切替え動作が必要な端末が、１つのシンボルにマッピングされるＳＲＳポートが１つであり、４つのポートによるサウンディングが必要な場合、Ｋ＝８になる（４つのＳＲＳ割り当てシンボル数＋４つの空（empty）シンボル数））（即ち、４回のアンテナ切替え）。ＳＲＳ送信のためのアンテナ切替えによってＳＲＳポートマッピングに必要なシンボル数Ｋが１つのスロットに割り当てられるＳＲＳシンボル数Ｎより大きい場合（Ｋ＞Ｎ）、ポートマッピングは、以下の通りである。
【０１４７】
図１２は、連続するＳＲＳスロット（一例として、ＳＲＳスロット１／ＳＲＳスロット２）にわたってアンテナ切替えを考えたＳＲＳシンボルおよびＳＲＳポートマッピングを例示する図である。
【０１４８】
各ＳＲＳシンボルにマッピングされるＳＲＳポート番号は、暗示的に適用される。ＳＲＳポート値は、ＳＲＳが設定されるシンボルインデックスおよび／またはスロットインデックスによって暗示的に決定される。例えば、かかる暗示的な決定は、以下の数式２に基づく。
【０１４９】
＜数式２＞
【数２】
2020528690.tif 000026
【０１５０】
ここで、ＴSRSは、ＳＲＳが設定されるスロット単位で表現されるＳＲＳトリガ周期を示し、ｎSは、スロットインデックス、ＮSRS_symは、ＳＲＳがトリガされるスロット内のＳＲＳ割り当てシンボル数を示し、ｎsymbolは、シンボルインデックスを示し、ＳＲＳポート数を４つと示した。各ＳＲＳスロット当たりのＳＲＳシンボル数が４つに設定されたとき、数式２によってＳＲＳポートがＳＲＳシンボルにマッピングされると、図１２のように表現できる。端末は、数式２によって各ＳＲＳシンボルにマッピングされたＳＲＳポート番号を暗示的に得ることができる。
【０１５１】
図１３は、ＳＲＳシンボル数およびニューマロロジ設定による所定のＳＲＳポートマッピング方式を例示する図である。
【０１５２】
所定のＳＲＳスロット内のシンボル数によって、ＳＲＳポート数によって、および／または他のニューマロロジによって、各ＳＲＳシンボルにマッピングされるＳＲＳポート番号が決定される。
【０１５３】
例えば、図１３に示したように、特定の端末に、ＳＲＳスロット（SRS Slot n）内のシンボル数が２つであり、副搬送波間隔が１５ＫＨｚから３０ＫＨｚに拡張されて上りリンクビーム管理用として設定される場合、このＳＲＳスロットに対するＳＲＳポートマッピングは、ＳＲＳ切替えを考慮して設定すると、ＳＲＳサブシンボルとそれにマッピングされるＳＲＳポートとは、図１３のようにマッピングされる。
【０１５４】
図１４は、ＳＲＳシンボルへの明示的な（explicit）ＳＲＳポートマッピングを例示する図である。
【０１５５】
基地局が各ＳＲＳシンボルにマッピングされるＳＲＳポート番号（または値、インデックス）に関する情報を端末に明示的に送信することもできる。基地局は、ＳＲＳシンボルインデックスとＳＲＳシンボルインデックスに対応するＳＲＳポート番号インデックスとをＬａｙｅｒ  １（例えば、ＤＣＩ）シグナリングまたはＬａｙｅｒ  ３（例えば、ＲＲＣ）シグナリングにより端末に提供することができる。
【０１５６】
例えば、図１４に示すように、基地局が、ＳＲＳスロット１でＳＲＳシンボルｎにマッピングされるＳＲＳポート番号を２、ＳＲＳシンボルｎ＋２にマッピングされるＳＲＳポート番号を１、と指示し、ＳＲＳスロット２のＳＲＳシンボルｎのためにマッピングされるＳＲＳポート番号を１、ＳＲＳシンボルｎ＋２にマッピングされるＳＲＳポート番号を２、と端末に指示することができる。
【０１５７】
図１５は、ＳＲＳシンボルへの明示的なＳＲＳポートマッピングを例示する（ＳＲＳポートグループ送信）図である。
【０１５８】
基地局は、ＳＲＳポートグループの設定後、ＳＲＳポートグループ番号、該当（corresponding）ＳＲＳスロットにマッピングされるＳＲＳポートを指定して端末に知らせる。したがって、各ＳＲＳスロットで、ＳＲＳシンボルにマッピングされるポートは、ＳＲＳポートグループから選択され、かかるＳＲＳポートマッピング規則は、予め決定されて基地局と端末との間で共有することができる。また、基地局が、ＳＲＳポートマッピング規則を決定して、Ｌａｙｅｒ  １（例えば、ＤＣＩ）シグナリングまたはＬａｙｅｒ  ３（例えば、ＲＲＣ）シグナリングにより端末に送信することができる。
【０１５９】
例えば、図１５に示すように、ＳＲＳポートグループ１＝｛１，３｝、ＳＲＳポートグループ２＝｛２，４｝である。基地局は、ＳＲＳスロット１にマッピングされるＳＲＳポートグループがＳＲＳポートグループ１であることを指示するＳＲＳポートグループインデックスを端末に知らせ、ＳＲＳスロット２にマッピングされるＳＲＳポートグループがＳＲＳポートグループ２であることを指示するＳＲＳポートグループインデックスを端末に知らせることができる。基地局は、ＳＲＳ送信のためのアンテナ切替え時に空シンボルが必要な端末については、図１５に示したような形態でＳＲＳを設定または割り当てることができる。ただし、図１５では、一例として、ＳＲＳシンボル当たりにマッピングされるＳＲＳポート数を１に制限した場合を例示している。
【０１６０】
提案２−１
【０１６１】
ＳＲＳ送信のための周波数リソース割り当て位置および／またはＳＲＳが割り当てられるシンボルによって、ＳＲＳ送信のためのアンテナ切替えが適用されるＳＲＳアンテナのポート番号（またはインデックス）が決定される。
【０１６２】
図１６は、ＳＲＳ送信リソース割り当て位置およびホッピングパターンによるアンテナ選択の例（Ｋ＝４）を示す図である。
【０１６３】
ＳＲＳ送信のためにシンボルレベルのホッピングを適用するときに、ホッピングされるＳＲＳ帯域幅（ＢＷ）の位置および／またはＳＲＳが割り当てられるシンボルインデックスによって、ＳＲＳ送信のためのアンテナ切替えのためのＳＲＳポート番号（またはインデックス）が決定される。以下の数式３は、図１６に示したＳＲＳポート番号割り当てを数式で示したものである。
【０１６４】
＜数式３＞
【数３】
2020528690.tif 000027
【０１６５】
図１７は、固定したＳＲＳ送信周波数リソース位置によるアンテナ選択を例示する（Ｋ＝４）図である。
【０１６６】
アンテナ選択においては、ＳＲＳ送信リソースの位置のみに依存する方式が考えられる。エネルギ結合によるサウンディング性能向上が考えられる。
【０１６７】
図１７に示したように、ＳＲＳ  ＢＷのｐａｒｔ（パート）  １には、ＳＲＳポートマッピングが常にＳＲＳポート番号１に設定される。ＳＲＳ  ＢＷのｐａｒｔ  ２にはＳＲＳポート番号２、ＳＲＳ  ＢＷのｐａｒｔ  ３にはＳＲＳポート番号３、ＳＲＳ  ＢＷのｐａｒｔ  ４にはＳＲＳポート番号４、にＳＲＳポートマッピングが設定される。かかるＳＲＳポートマッピング設定に関する情報は、基地局が、ＤＣＩ、ＭＡＣ-ＣＥまたはＲＲＣシグナリングにより端末に送信することができる。
【０１６８】
提案３
【０１６９】
提案３は、提案１および提案２のように、基地局がＳＲＳ送信のためのリソース割り当て／ＳＲＳポート割り当てを指示する前に、端末と基地局との間で行われる。提案１および提案２で指示した事項は、この提案３で端末のＳＲＳ送信のためのアンテナ切替え性能フィードバックに基づいて指示したものである。
【０１７０】
図１８は、ＳＲＳ送信のためのアンテナ切替え性能報告に関するプロシージャを例示する図である。
【０１７１】
まず、基地局は、ＳＲＳ送信のためのアンテナ切替え性能に関する報告またはフィードバックを要求するメッセージを端末に送信する。このメッセージに対する応答として、端末は、ＳＲＳアンテナ切替え性能に関する情報を基地局にフィードバックする。このとき、端末は、ＳＲＳ送信のためのアンテナ切替え動作において、移行時間を考慮して、自体のＳＲＳアンテナ切替え性能に関する情報を基地局に報告またはフィードバックする。
【０１７２】
フィードバックは、該当端末が連続するシンボルに対してＳＲＳ送信が可能か否かを知らせるフラグであることもできる。このフィードバックにおいて、上りリンクビーム管理のためのニューマロロジの変化が必要な場合、基地局がＳＲＳ設定のための副搬送波間隔の情報（例えば、１５ｋＨｚ、３０ｋＨｚ、６０ｋＨｚなど）をＳＲＳスロットの設定とともに端末に提供すると、端末は、自体のアンテナ切替え性能を認識して、シンボル間で該当シンボルを空けるか否かを決定して、それを基地局に知らせる。
【０１７３】
フィードバックは、該当端末が連続するシンボルに対してＳＲＳ送信が可能か否かを暗示的に知らせる情報としてニューマロロジ（例えば、副搬送波間隔）などの情報を含むこともできる。また、フィードバックは、連続するＳＲＳシンボル割り当てができる限り最大の副搬送波間隔の情報を含むことができる。例えば、該当端末の３０ＫＨｚの副搬送波間隔まで、ＳＲＳ送信のためのアンテナ切替え時、連続するＳＲＳシンボルの割り当てが可能であれば、フィードバックは、３０ｋＨｚの副搬送波間隔に該当するインデックスを含むことができる。
【０１７４】
以下の表１８は、ＳＲＳ送信のためのアンテナ切替え性能インデックスを例示する表である。表１８に記載された情報は、基地局がＲＲＣシグナリングにより端末に送信することができる。
【０１７５】
＜表１８＞
【表１８】
2020528690.tif 000028
【０１７６】
このフィードバックは、該当端末が連続するシンボルに対してＳＲＳ送信が可能か否かを基地局が確認できるようにするアンテナ切替えによる移行時間区間に関する情報を含む。表１８に記載された移行時間区間に関する情報は、基地局が上位層（例えば、ＲＲＣ）シグナリングにより端末に送信することができ、端末は、自体の性能によるアンテナ切替えによる移行時間区間について基地局にフィードバックすることができる。
【０１７７】
以下の表１９は、ＳＲＳ送信のためのアンテナ切替え性能インデックスの他の例を示す表である。表１９に記載された情報は、基地局がＲＲＣシグナリングにより端末に送信することができる。
【０１７８】
＜表１９＞
【表１９】
2020528690.tif 000029
【０１７９】
表１９に記載された移行時間区間に関する情報は、基地局が上位層（例えば、ＲＲＣ）シグナリングにより端末に送信することができ、端末は、自体の性能によるアンテナ切替えによる移行時間区間について、基地局にフィードバックすることができる。
【０１８０】
以上説明してきた実施例は、本発明の構成要素および特徴を所定の形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素および／または特徴を結合して本発明の実施例を構成することもできる。本発明の実施例で説明される動作の順序は変更されてもよい。ある実施例の一部の構成や特徴は、他の実施例に含まれてもよく、他の実施例の対応する構成または特徴に置き換えてもよい。特許請求の範囲において明示的な引用関係にない請求項を結合して実施例を構成したり、出願後の補正により新しい請求項として含めたりできることは明らかである。
【０１８１】
本発明は、本発明の特徴から逸脱しない範囲で別の特定の形態に具体化できることは、当業者にとって自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更は、いずれも本発明の範囲に含まれる。
【産業上の利用可能性】
【０１８２】
３ＧＰＰ  ＬＴＥ／ＬＴＥ−Ａシステム、５Ｇ通信システムなどの様々な無線通信システムにおいて産業上利用可能である。
【図１】
2020528690.tif 000030
【図２ａ】
2020528690.tif 000031
【図２ｂ】
2020528690.tif 000032
【図３】
2020528690.tif 000033
【図４】
2020528690.tif 000034
【図５】
2020528690.tif 000035
【図６】
2020528690.tif 000036
【図７】
2020528690.tif 000037
【図８】
2020528690.tif 000038
【図９】
2020528690.tif 000039
【図１０】
2020528690.tif 000040
【図１１】
2020528690.tif 000041
【図１２】
2020528690.tif 000042
【図１３】
2020528690.tif 000043
【図１４】
2020528690.tif 000044
【図１５】
2020528690.tif 000045
【図１６】
2020528690.tif 000046
【図１７】
2020528690.tif 000047
【図１８】
2020528690.tif 000048
【手続補正書】
【提出日】令和2年1月16日(2020.1.16)
【手続補正１】
【補正対象書類名】明細書
【補正対象項目名】０００１
【補正方法】変更
【補正の内容】
【０００１】
本発明は、無線通信に関し、より詳細には、サウンディングリファレンス信号（Sounding Reference Signal；ＳＲＳ）を送信する方法およびそのための端末に関する。
【手続補正２】
【補正対象書類名】明細書
【補正対象項目名】０００７
【補正方法】変更
【補正の内容】
【０００７】
上記技術的課題を達成するための、端末がサウンディングリファレンス信号（Sounding Reference Signal；ＳＲＳ）を送信する方法は、端末が複数のシンボル上におけるＳＲＳ送信に関してアンテナ切替え（スイッチング）を行うように設定された場合、基地局から、複数のシンボルのうちＳＲＳが送信されるシンボルを指示する第１情報を受信する段階と、指示されたシンボルでＳＲＳを送信する段階と、を有し、ＳＲＳは、指示されたシンボルの各々に対応するアンテナポートで送信され、指示されたシンボルの各々に対応するアンテナポートは、互いに異なるアンテナポートである。指示されたシンボル間に位置するシンボルは、信号が送信されない空（empty）シンボルに設定される。
【手続補正３】
【補正対象書類名】明細書
【補正対象項目名】００１２
【補正方法】変更
【補正の内容】
【００１２】
上記他の技術的課題を達成する、サウンディングリファレンス信号（Sounding Reference Signal；ＳＲＳ）を送信する端末は、受信器と、送信器と、プロセッサと、を有し、このプロセッサは、受信器が、端末が複数のシンボル上におけるＳＲＳ送信に関してアンテナ切替えを行うように設定された場合、基地局から、複数のシンボルのうちＳＲＳが送信されるシンボルを指示する第１情報を受信するように制御し、送信器が、指示されたシンボルでＳＲＳを送信し、ＳＲＳを上記指示されたシンボルの各々に対応するアンテナポートで送信するように制御し、上記指示されたシンボルの各々に対応するアンテナポートは、互いに異なるアンテナポートである。
【手続補正４】
【補正対象書類名】明細書
【補正対象項目名】００７７
【補正方法】変更
【補正の内容】
【００７７】
また、各々のサービス（ｅＭＢＢ、ＵＲＬＬＣ、ｍＭＴＣ）およびシナリオ（ｈｉｇｈ  ｓｐｅｅｄなど）によって時間／周波数粒度（細分性）（granularity）が動的に割り当てられる構造でニューマロロジが決定される。
【手続補正５】
【補正対象書類名】特許請求の範囲
【補正対象項目名】全文
【補正方法】変更
【補正の内容】
【特許請求の範囲】
【請求項１】
端末（User Equipment；ＵＥ）がサウンディングリファレンス信号（Sounding Reference Signal；ＳＲＳ）を送信する方法であって、
基地局（Base Station；ＢＳ）から、ＳＲＳリソースに関連するＳＲＳ設定を受信する段階と、
前記基地局に、スロットにおける第１ＳＲＳリソースにおいて第１アンテナポートに関する第１ＳＲＳを送信する段階であって、前記第１ＳＲＳリソースは、前記ＳＲＳ設定による１つまたは複数の第１ＳＲＳシンボルを有する段階と、
前記基地局に、前記スロットにおける第２ＳＲＳリソースにおいて第２アンテナポートに関する第２ＳＲＳを送信する段階であって、前記第２ＳＲＳリソースは、前記ＳＲＳ設定による１つまたは複数の第２ＳＲＳシンボルを有する段階と、を有し、
少なくとも１つの空シンボルは、前記１つまたは複数の第１ＳＲＳシンボルと前記１つまたは複数の第２ＳＲＳシンボルとの間にアンテナ切替えに関して設定され、
前記少なくとも１つの空シンボルのそれぞれは、前記端末が他の信号を送信しないシンボルである、方法。
【請求項２】
前記ＳＲＳ設定は、アンテナ切替えに関する指示子を有する、請求項１に記載の方法。
【請求項３】
前記少なくとも１つの空シンボルは、副搬送波間隔によって設定される、請求項１に記載の方法。
【請求項４】
前記１つまたは複数の第１ＳＲＳシンボルの数は、１、２または４である、請求項１に記載の方法。
【請求項５】
前記１つまたは複数の第２ＳＲＳシンボルの数は、１、２または４である、請求項１に記載の方法。
【請求項６】
前記ＳＲＳ設定は、周波数に関する情報をさらに有する、請求項１に記載の方法。
【請求項７】
前記周波数に関する情報は、周波数位置および周波数ホッピングを有する、請求項６に記載の方法。
【請求項８】
前記第１ＳＲＳリソース設定および前記第２ＳＲＳリソース設定のそれぞれは、ＳＲＳポートの数および送信コームタイプをさらに有する、請求項１に記載の方法。
【請求項９】
前記設定情報は、無線リソース制御（Radio Resource Control；ＲＲＣ）、メディアアクセス制御チャネル要素（Medium Access Control Channel Element；ＭＡＣ  ＣＥ）または下りリンク制御情報（Downlink Control Information；ＤＣＩ）のうちのいずれかにより受信される、請求項１に記載の方法。
【請求項１０】
サウンディングリファレンス信号（Sounding Reference Signal；ＳＲＳ）を送信する端末（User Equipment；ＵＥ）であって、
少なくとも１つのプロセッサに接続された送受信器と、
基地局（Base Station；ＢＳ）から、ＳＲＳリソースに関連するＳＲＳ設定を受信し、
前記基地局に、スロットにおける第１ＳＲＳリソースにおいて第１アンテナポートに関する第１ＳＲＳを送信し、前記第１ＳＲＳリソースは、前記ＳＲＳ設定による１つまたは複数の第１ＳＲＳシンボルを有し、
前記基地局に、前記スロットにおける第２ＳＲＳリソースにおいて第２アンテナポートに関する第２ＳＲＳを送信し、前記第２ＳＲＳリソースは、前記ＳＲＳ設定による１つまたは複数の第２ＳＲＳシンボルを有する、ように構成される前記少なくとも１つのプロセッサと、を有し、
少なくとも１つの空シンボルは、前記１つまたは複数の第１ＳＲＳシンボルと前記１つまたは複数の第２ＳＲＳシンボルとの間にアンテナ切替えに関して設定され、
前記少なくとも１つの空シンボルのそれぞれは、前記端末が他の信号を送信しないシンボルである、端末。
【請求項１１】
前記ＳＲＳ設定は、アンテナ切替えに関する指示子を有する、請求項１０に記載の端末。
【請求項１２】
前記少なくとも１つの空シンボルは、副搬送波間隔によって設定される、請求項１０に記載の端末。
【請求項１３】
前記１つまたは複数の第１ＳＲＳシンボルの数は、１、２または４である、請求項１０に記載の端末。
【請求項１４】
前記１つまたは複数の第２ＳＲＳシンボルの数は、１、２または４である、請求項１０に記載の端末。
【請求項１５】
前記ＳＲＳ設定は、周波数に関する情報をさらに有する、請求項１０に記載の端末。
【国際調査報告】
2020528690.tif 000049
2020528690.tif 000050
2020528690.tif 000051
2020528690.tif 000052